(57)【要約】【目的】セパレート型空気調和機において、冷凍サイクルを構成する部品を自由に設計できる室外機の構造に関するものである。【構成】圧縮機１で圧縮されて高温となったガス状冷媒を室外熱交換器２で液化し、液化した冷媒を減圧器３を介して室内熱交換器４に送り、室内熱交換器４で気化した冷媒が圧縮機１に戻される冷凍サイクルを構成する。室外送風機５は送風機支持脚５ａを介して室外機枠体８の前面８ｂ側に配置し、室外熱交換器２は複数の熱交換固定部材２ａを介して室外機枠体８の後面８ｃ側に配置することで、仕切り板を廃止しており、圧縮機１は室外熱交換器２から室外送風機５の間の送風経路９内に設置している。また、電装制御部品６は制御箱１０に収納して室外機枠体８もしくは室外機枠体８内に配置した各種部品に取付けたから、仕切り板がなくても送風経路９内に浸入した雨水が電装制御部品６にかかることはない。【選択図】　　　　　図１
2004061050.tif 000002
【特許請求の範囲】
【請求項１】
冷媒を圧縮する圧縮機１と、高温のガス状冷媒が送られる室外熱交換器２と、液化した冷媒が減圧器３を介して送られる室内熱交換器４とを備え、該室内熱交換器４で気化した冷媒が圧縮機１に戻される冷凍サイクルを構成し、前記圧縮機１と室外熱交換器２と室外送風機５と冷凍サイクルの電装制御部品６と冷媒流れ方向を逆転させる四方弁７とを室外機枠体８内に収納するセパレート型の空気調和機において、
前記室外送風機５は室外機枠体８のベース８ａとの間に送風機支持脚５ａを介して室外機枠体８の前面８ｂ側に配置し、前記室外熱交換器２は枠体８のベース８ａとの間に複数の熱交換器固定部材２ａを介して室外機枠体８の後面８ｃ側に配置し、該室外熱交換器２から室外送風機５の間の送風経路９内に前記圧縮機１を位置させると共に、
前記電装制御部品６を収納する制御箱１０を設け、該制御箱１０は室外機枠体８もしくは室外機枠体８内に配置した各種部品に取付けしたことを特徴とする空気調和機の室外機構造。
【請求項２】
前記制御箱１０には室外機枠体８外に連通する外部開口１０ａと、室外送風機５の前方と連通する内部開口１０ｂとを設けたことを特徴とする請求項１記載の空気調和機の室外機構造。
【請求項３】
前記圧縮機１には圧縮機１の電装部分１ａを送風経路９から遮蔽する位置に防水カバー１１が設けられていることを特徴とする請求項１記載の空気調和機の室外機構造。
【発明の詳細な説明】
【０００１】
【産業上の利用分野】
この発明は冷凍サイクルを利用し室内の空気調和を行うセパレート型空気調和機の室外機の構造に関するものである。
【０００２】
【従来の技術】
セパレート型の空気調和機は室内に装備される室内ユニットと、室外に装備される室外ユニットの二つの枠体を備えており、室内ユニットを構成する室内機には室内熱交換器と室内送風機が備え付けられ、室外ユニットを構成する室外機には冷媒を圧縮する圧縮機と、高温のガス状冷媒が送られる室外熱交換器と、室外熱交換器に送風する室外送風機と、液化した冷媒の圧力を制御する減圧器と、冷媒の流れ方向を逆転させる四方弁とを備えている。
【０００３】
前記冷媒は圧縮機で高温高圧に加圧されて室外機熱交換器に送られ、室外空気と熱交換して液化する。この液化した冷媒は減圧器を経て室内機に送られ、室内熱交換器の内部で気化する。そして、該室内熱交換器の内部で気化した冷媒は再び冷媒配管を介して室外機に送られて圧縮機で加圧されることによって冷凍サイクルを構成している。
【０００４】
また、前記室外機の枠体内には冷凍サイクルを運転する電装制御部品が備え付けられており、圧縮機や室外送風機の運転や四方弁の切り替えなどの制御をおこなっている。
【０００５】
上記の室外機の従来例では室外送風機の空気流のための送風室Ａと、圧縮機などを収納する圧縮機室Ｂを仕切る仕切り板Ｃを設けており、この仕切り板Ｃは室外機枠体のベースや熱交換器固定部材などによって固定している。
【０００６】
仕切り板Ｃは、圧縮機室Ｂから発生する音が送風経路を通って機外に出ないようにするため、また、送風室Ａから侵入する雨などの水が圧縮機室Ｂへ侵入し電装品へかかることを避けるための構成となっている。
【０００７】
【発明が解決しようとする課題】
しかし、このような構造の場合、仕切り板Ｃが送風経路と圧縮機室Ｂの境を強固なものにしており、これは同一の室外機枠体で異能力の商品をラインナップする上で大きな弊害をもたらしている。
【０００８】
能力の向上目的により大きな圧縮機を搭載する場合、この圧縮機または圧縮機の一部がこの仕切り板Ｃに干渉してしまうため、搭載できる圧縮機が限定されてしまうものである。
【０００９】
また、圧縮機のみならず室外熱交換器を変更する場合でも、この仕切り板Ｃが室外熱交換器を固定する部材になっているため、室外熱交換器はこの仕切り板Ｃの固定位置以上よりも大きくすることが不可能になっている。近年熱交換器は拡大化傾向にあり、「Ｌ」字型から「Ｕ」字型へその面積を大きくする為に移行中であり、この双方を安価に両方搭載できる構造の必要性がある。
【００１０】
【課題を解決するための手段】
この発明は上記課題を解決するものであり、冷媒を圧縮する圧縮機１と、高温のガス状冷媒が送られる室外熱交換器２と、液化した冷媒が減圧器３を介して送られる室内熱交換器４とを備え、該室内熱交換器４で気化した冷媒が圧縮機１に戻される冷凍サイクルを構成し、前記圧縮機１と室外熱交換器２と室外送風機５と冷凍サイクルの電装制御部品６と冷媒流れ方向を逆転させる四方弁７とを室外機枠体８内に収納するセパレート型の空気調和機において、前記室外送風機５は室外機枠体８のベース８ａとの間に送風機支持脚５ａを介して室外機枠体８の前面８ｂ側に配置し、前記室外熱交換器２は枠体８のベース８ａとの間に複数の熱交換器固定部材２ａを介して室外機枠体８の後面８ｃ側に配置し、該室外熱交換器２から室外送風機５の間の送風経路９内に前記圧縮機１を位置させると共に、前記電装制御部品６を収納する制御箱１０を設け、該制御箱１０は室外機枠体８もしくは室外機枠体８内に配置した各種部品に取付けしたことを特徴とする。
【００１１】
また、前記制御箱１０には室外機枠体８外に連通する外部開口１０ａと、室外送風機５の前方と連通する内部開口１０ｂとを設けたことにより、室外送風機５が作り出す空気流によって制御箱１０内の冷却が可能となっている。
【００１２】
更に、前記圧縮機１には圧縮機１の電装部分１ａを送風経路９から遮蔽する位置に防水カバー１１が設けられていることにより、送風経路９内に雨水が浸入しても圧縮機１が異常をきたすようなことはない。
【００１３】
【作用】
この発明では室外機枠体８のベース８ａと室外送風機５や室外熱交換器２との間には送風機支持脚５ａと熱交換器固定部材２ａを介在し、室外機枠体８の後面８ｃに室外熱交換器２を配置し、室外機枠体８の前面８ｂに室外送風機５を配置している。そして、室外熱交換器２と室外送風機５を内在する送風経路９内に圧縮機１を位置させて、従来品に使われていた仕切り板Ｃを廃止した。
【００１４】
そして、室外機の電装制御部品６は制御箱１０に収容して室外機枠体８内に装着しており、従来品の仕切り板Ｃがなくとも、室外機枠体８内に雨水が浸入しても、制御箱１０によって電装制御部品６にかかることはない。
【００１５】
また、制御箱１０に外部開口１０ａと内部開口１０ｂとを設け、内部開口１０ｂは室外送風機５の前方と連通させたから、制御箱１０内には室外送風機５による空気流が生まれて電装制御部品６が冷却される。
【００１６】
更に、圧縮機１の電装部分１ａには防水カバー１１を設けたから、室外機枠体８内に多量の雨水が浸入する状態で使用しても圧縮機１は正常に運転動作ができる。
【００１７】
【実施例】
実施例を示す図によってこの構成を説明すると、８は室外機を構成する室外機枠体、１２は室内機を構成する室内機枠体、１３は室外機と室内機を連絡する冷媒配管である。１は室外機枠体８内に収納された冷媒圧縮用の圧縮機、２は室外機枠体８の後面８ｃ側の内部に収納されて前記圧縮機１から高温のガス状冷媒が送られる室外熱交換器、５は室外機枠体８の前面８ｂ側の内部で前記室外熱交換器２に室外空気を通過させるように取付けた室外送風機、３は液化した冷媒が減圧される減圧器である。
【００１８】
４は室内機枠体１２の内部に収納された室内熱交換器、１４は室内熱交換器４に室内空気を通過させるように取付けた室内送風機であり、前記減圧器３で減圧された冷媒は冷媒配管１３を経て室内熱交換器４に送られて気化し、この時、室内熱交換器４を低温度にするから室内送風機１４の空気流は冷たくなり、室内を冷房することが出来る。また室内熱交換器４で気化した冷媒は冷媒配管１３を経て、室外機枠体８内の圧縮機１に戻されることによって冷凍サイクルを構成している。
【００１９】
７は冷媒流れ方向を逆転させる四方弁、６は圧縮機１や室外送風機５や四方弁７などの運転を指示する電装制御部品であり、四方弁７が切り替えられると圧縮機１で加圧された冷媒は室内機枠体１２内の室内熱交換器４に送られて放熱し、液化した冷媒は減圧器３を介して室外機枠体８内の室外熱交換器２に送られるから、冷媒は室外熱交換器２内で気化するようになり、暖房運転に切り替えることが出来る。
【００２０】
８ａは室外機枠体８のベース、２ａは室外熱交換器２の熱交換器固定部材であり、該熱交換器固定部材２ａはこの発明の実施例では室外機枠体８やそのベース８ａなどに固定されている。
【００２１】
５ａは室外送風機５を室外機枠体８のベース８ａに固定するための送風機支持脚、９は室外熱交換器２から室外送風機５の間に空気流が流れるようにする送風経路であり、該送風機支持脚５ａに固定された室外送風機５は室外機熱交換器２の風下側となるように取付けられ、前記送風経路９に冷凍サイクルにおいて高温高圧の冷媒と熱交換をさせるための空気流を作っている。
【００２２】
従来例においてはこの送風経路９が送風室Ａを構成し、圧縮機１が取付けられた圧縮機室Ｂから仕切り板Ｃによって送風室Ａを独立させることによって、送風室Ａと圧縮機室Ｂに区切っており、この仕切り板Ｃは室外熱交換器２や圧縮機１の大きさ・形状・搭載位置を強く限定していた。また、前記電装制御部品６はこの仕切り板Ｃを利用して圧縮機室Ｂ内に搭載されており、これらの圧縮機１や電装制御部品６は発熱する装置にもかかわらず、冷却空気流はなく十分な冷却効果は得られなかった。
【００２３】
この発明は上記の問題を解決するもので、１０は内部に前記電装制御部品６を収納した制御箱であり、該制御箱１０は少なくとも室外機枠体８や室外熱交換器２や圧縮機１や送風機支持脚５ａに固定され、室外機枠体８の送風流路９内に配置されている。そして、前記室外熱交換器２は室外機枠体８のベース８ａおよび室外機枠体８の後面８ｃで支持することで仕切り板Ｃによる支持を不要のものとし、前記圧縮機１を室外送風機５の送風経路９内に位置させている。
【００２４】
このため、電装制御部品６は仕切り板Ｃがなくなったので、室外送風機５の空気流がある送風経路９内に取付けられるが、この発明の電装制御部品６は制御箱１０内に収納したので、送風経路９内に雨水が浸入しても電装制御部品６にかかることはなく、正確に各種の電装部品を動作させることができるようになった。また、仕切り板Ｃがなくなったので、送風室Ａと圧縮機室Ｂは統合されて室外機枠体８内の全てが送風経路９となり、圧縮機１は広くなった送風経路９に設置されて、大きさ・形状・設置位置の制約が無くなるものである。
【００２５】
また、従来では送風室Ａと仕切り板Ｃや圧縮機室Ｂの一部の二箇所で固定されていた熱交換器固定部材２ａは、室外機枠体８によってのみ固定されることになり、室外熱交換器２は圧縮機１と同様に、大きさ・形状・設置位置の制約が無くなるものである。
【００２６】
次に制御箱１０の実施例において、前記したように電装制御部品６は発熱を伴うものであり、制御箱１０が密閉されるときには、温度上昇による誤動作を起こす恐れがある。１０ａは室外機枠体８の外部と制御箱１０内とを連通する外部開口、１０ｂは室外送風機５の前方と連通する内部開口であり、該室外送風機５が作り出す空気流によって、該制御箱１０内にも空気流を作り出すことが可能となり、発熱する電装制御部品６であっても安全な温度を維持できるものである。
【００２７】
即ち、従来例の圧縮機室Ｂでは発熱量の異なる様々な部品が混在しているから冷却の最適化が困難になっており、近年のインバーター化による各種電装制御部品６の発熱対策は困難になっており、発熱量の大きな部品は放熱板を設け送風室Ａへ露出させるなどの対策が必要になっていた。
【００２８】
この実施例では制御箱１０に外部開口１０ａと内部開口１０ｂとを設け、送風流路９を流れる空気流を利用しつつ制御箱１０内に新たな空気流を発生させることが出来たから、外部開口１０ａや内部開口１０ｂを適宜設定することにより、各部品の冷却量を任意に設計することが可能となった。このため、電装制御部品６を構成するほとんどの部品は、室外送風機５が作り出す空気流へさらすことが容易になり、高温時の過負荷性能の向上と共に電気部品の寿命を延命することも可能となった。
【００２９】
更に他の実施例において、１ａは前記圧縮機１に給電する電装部分、１１はこの電装部分１ａを送風経路９から遮蔽する位置で室外機枠体８もしくは室外機枠体８内に配置した各種部品に取付けされた防水カバーである。前記圧縮機１は電動部品であるから配線などの電装部分１ａが必ずあり、しかも室外機枠体８のベース８ａに近い低い位置に配置されているから、大型の圧縮機１本体が室外送風機５の近傍まで届き、送風流路９に侵入した雨水が圧縮機１の電装部分１ａにかかって漏電はじめとするトラブルを発生させる恐れがある。
【００３０】
この実施例の防水カバー１１は圧縮機１の電装部分１ａを遮蔽する役目を成してこの問題点を改善しており、送風流路９に侵入した雨水は圧縮機１の電装部分１ａに届く前にこの防水カバー１１に付着してベース８ａへ落下するから、仕切り板Ｃがなくとも圧縮機１の電装部分１ａには雨水がかからなくなり、圧縮機１の水による漏電はじめとするトラブルを発生させないようになった。
【００３１】
また、防水カバー１１は圧縮機１の電装部分１ａを遮蔽すると共に、圧縮機１を覆っているから、該圧縮機１から発生する音が送風経路９を通って機外に出ないようにする働きも行うことができる。
【００３２】
【発明の効果】
上記のようにこの発明では、圧縮機１を取付けた室外機枠体８のベース８ａに送風機支持脚５ａと熱交換器固定部材２ａを固定し、かつ、室外機枠体８の後面８ｃに熱交換器固定部材２ａによって室外熱交換器２を配置し、室外機枠体８の前面８ｂに送風機支持脚５ａによって室外送風機５を配置したから、従来の構造物の固定部材として機能していた仕切り板Ｃを使用する必要は無くなった。
【００３３】
また、この室外熱交換器２から室外送風機５の間の送風経路９に前記圧縮機１を位置させると共に、前記電装制御部品６を収納する制御箱１０を設け、この制御箱１０は室外機枠体８もしくは室外熱交換器２や圧縮機１などの枠体内装置品に取付けしたものであるから、前記電装制御部品６は制御箱１０によって完全に保護されており、前記室外機枠体８のベース８ａの全体を使って、圧縮機１や室外熱交換器２や室外送風機５などの各部品は必要に応じたサイズのものが室外機枠体８内に搭載でき、自由に設計することが可能となった。
【００３４】
即ち、圧縮機１は送風経路９に届かせたから大きさの制約はなくなり、また、熱交換器固定部材２ａによる室外機熱交換器２の固定は、ベース８ａや後面８ｃの室外機枠体８に固定することにより、室外機熱交換器２の大きさ、形状を変更しても室外機枠体８の少数部品の形状変更で搭載可能となるため、同一の室外ユニットで異能力の商品をラインナップすることが容易となった。
【００３５】
また、全ての部品を送風経路９に置くと共に、制御箱１０に外部開口１０ａと内部開口１０ｂとを設けたことにより、電装制御部品６の冷却量を任意に設計することが可能となった。このことは高温時の過負荷性能の向上と電気部品の長寿命化が可能になった。
【００３６】
更に、圧縮機１の電装部分１ａに関して防水カバー１１を設けたから、送風経路９に侵入する雨水などの水は圧縮機１の電装部分１ａにかかることはなくなり、短絡による故障、寿命の低下から開放されることになった。
【図面の簡単な説明】
【図１】この発明の実施例を示すセパレート形の空気調和機の断面図である。
【図２】この発明の他の実施例を示すセパレート形の空気調和機の室外機の断面図である。
【図３】従来例を示すセパレート形の空気調和機の断面図である。
【符号の説明】
１　　圧縮機
１ａ　電装部分
２　　室外熱交換器
２ａ　熱交換器固定部材
３　　減圧器
４　　室内熱交換器
５　　室外送風機
５ａ　送風機支持脚
６　　電装制御部品
７　　四方弁
８　　室外機枠体
８ａ　ベース
８ｂ　前面
８ｃ　後面
９　　送風経路
１０　　制御箱
１０ａ　外部開口
１０ｂ　内部開口
１１　　防水カバー
Ａ　　送風室
Ｂ　　圧縮機室
Ｃ　　仕切り板
【図１】
2004061050.tif 000003
【図２】
2004061050.tif 000004
【図３】
2004061050.tif 000005